(57)【要約】【課題】貯湯タンクの内部に供給する水と、貯湯タンクの上部にある高温の湯との混合を防ぎ、給水によって出湯温度が低下することを防止することができる電気湯沸かし器を提供する。【解決手段】本発明の電気湯沸かし器は、円筒状の胴部１１の仮想中心線Ｘを水平方向にして設置される貯湯タンク１０と、貯湯タンク１０の内部に設けて水を加熱する加熱装置２０と、胴部１１に接続されて、貯湯タンク１０の内部に水を供給する給水接続配管４０と、を備え、加熱装置２０は、仮想中心線Ｘと平行に一対の電気ヒータを並べた並列ヒータ部２４を有し、給水接続配管４０の給水口４２には、給水接続配管４０から貯湯タンク１０の内部に供給する水を拡散させる拡散部７０を設け、拡散部７０を、並列ヒータ部２４より低い位置に配置したことを特徴とする。【選択図】        図１
2020118409.tif 000002
【特許請求の範囲】
【請求項１】
円筒状の胴部の仮想中心線を水平方向にして設置される貯湯タンクと、
前記貯湯タンクの内部に設けて水を加熱する加熱装置と、
前記胴部に接続されて、前記貯湯タンクの内部に前記水を供給する給水接続配管と、
を備え、
前記加熱装置は、前記仮想中心線と平行に一対の電気ヒータを並べた並列ヒータ部を有し、
前記給水接続配管の給水口には、前記給水接続配管から前記貯湯タンクの内部に供給する前記水を拡散させる拡散部を設け、
前記拡散部を、前記並列ヒータ部より低い位置に配置した
ことを特徴とする電気湯沸かし器。
【請求項２】
前記拡散部から吐出される前記水の方向を、前記仮想中心線の方向とした
ことを特徴とする請求項１に記載の電気湯沸かし器。
【請求項３】
前記拡散部を、前記仮想中心線の鉛直下に配置し、
前記並列ヒータ部を、前記仮想中心線の鉛直下からずらして配置した
ことを特徴とする請求項１または請求項２に記載の電気湯沸かし器。
【請求項４】
前記並列ヒータ部が、第１並列ヒータ部、前記第１並列ヒータ部の鉛直上に配置する第２並列ヒータ部、前記第１並列ヒータ部と前記第２並列ヒータ部と接続する並列ヒータ接続部からなり、
前記拡散部を、前記第１並列ヒータ部より低い位置に配置した
ことを特徴とする請求項１から請求項３のいずれか１項に記載の電気湯沸かし器。
【請求項５】
前記貯湯タンクから湯を取り出す出湯接続配管を備え、
前記出湯接続配管の出湯口を、前記仮想中心線よりも高い位置に配置した
ことを特徴とする請求項１から請求項４のいずれか１項に記載の電気湯沸かし器。
【請求項６】
前記出湯口を、前記仮想中心線の鉛直上に配置した
ことを特徴とする請求項５に記載の電気湯沸かし器。
【発明の詳細な説明】
【技術分野】
【０００１】
本発明は、給水管から供給される水を電気で沸かす電気湯沸かし器に関する。
【背景技術】
【０００２】
特許文献１には、円筒状の胴部の仮想中心線を水平方向にして設置される貯湯タンクと、貯湯タンクの内部に設けて水を加熱する加熱装置と、胴部に接続される水接続配管とを備え、流し台や洗面台に設置して利用される電気湯沸かし器が開示されている。
【先行技術文献】
【特許文献】
【０００３】
【特許文献１】実願昭６０−１９５１９４号（実開昭６２−１０２９５３号）のマイクロフィルム
【発明の概要】
【発明が解決しようとする課題】
【０００４】
しかし、特許文献１の構成では、貯湯タンクの上部から給水しているため、給水によって貯湯タンク内の水が攪拌され、貯湯タンク内の湯温が低下してしまう。
【０００５】
そこで本発明は、貯湯タンクの内部に供給する水と、貯湯タンクの上部にある高温の湯との混合を防ぎ、給水によって出湯温度が低下することを防止することができる電気湯沸かし器を提供することを目的とする。
【課題を解決するための手段】
【０００６】
請求項１記載の本発明の電気湯沸かし器は、円筒状の胴部１１の仮想中心線Ｘを水平方向にして設置される貯湯タンク１０と、前記貯湯タンク１０の内部に設けて水を加熱する加熱装置２０と、前記胴部１１に接続されて、前記貯湯タンク１０の内部に前記水を供給する給水接続配管４０と、を備え、前記加熱装置２０は、前記仮想中心線Ｘと平行に一対の電気ヒータを並べた並列ヒータ部２４を有し、前記給水接続配管４０の給水口４２には、前記給水接続配管４０から前記貯湯タンク１０の内部に供給する前記水を拡散させる拡散部７０を設け、前記拡散部７０を、前記並列ヒータ部２４より低い位置に配置したことを特徴とする。
請求項２記載の本発明は、請求項１に記載の電気湯沸かし器において、前記拡散部７０から吐出される前記水の方向を、前記仮想中心線Ｘの方向としたことを特徴とする。
請求項３記載の本発明は、請求項１または請求項２に記載の電気湯沸かし器において、前記拡散部７０を、前記仮想中心線Ｘの鉛直下に配置し、前記並列ヒータ部２４を、前記仮想中心線Ｘの鉛直下からずらして配置したことを特徴とする。
請求項４記載の本発明は、請求項１から請求項３のいずれか１項に記載の電気湯沸かし器において、前記並列ヒータ部２４が、第１並列ヒータ部２４ａ、前記第１並列ヒータ部２４ａの鉛直上に配置する第２並列ヒータ部２４ｂ、前記第１並列ヒータ部２４ａと前記第２並列ヒータ部２４ｂと接続する並列ヒータ接続部２４ｃからなり、前記拡散部７０を、前記第１並列ヒータ部２４ａより低い位置に配置したことを特徴とする。
請求項５記載の本発明は、請求項１から請求項４のいずれか１項に記載の電気湯沸かし器において、前記貯湯タンク１０から湯を取り出す出湯接続配管５０を備え、前記出湯接続配管５０の出湯口５２を、前記仮想中心線Ｘよりも高い位置に配置したことを特徴とする。
請求項６記載の本発明は、請求項５に記載の電気湯沸かし器において、前記出湯口５２を、前記仮想中心線Ｘの鉛直上に配置したことを特徴とする。
【発明の効果】
【０００７】
本発明によれば、拡散部によって給水接続配管から貯湯タンクの内部に供給する水を拡散させることで、貯湯タンクの上部にある高温の湯との混合を防ぎ、給水によって出湯温度が低下することを防止することができる。
【図面の簡単な説明】
【０００８】
【図１】本発明の一実施例による電気湯沸かし器の構成図
【図２】同電気湯沸かし器の主要構成の分解斜視図
【図３】同電気湯沸かし器の断熱材を示す図
【図４】同電気湯沸かし器の貯湯タンクと加熱装置を示す構成図
【図５】シャワー使用時のように連続して出湯する場合の説明図
【図６】本実施例による電気湯沸かし器の拡散部を示す図
【図７】同電気湯沸かし器の拡散部の他の実施例を示す図
【発明を実施するための形態】
【０００９】
本発明の第１の実施の形態による電気湯沸かし器は、円筒状の胴部の仮想中心線を水平方向にして設置される貯湯タンクと、貯湯タンクの内部に設けて水を加熱する加熱装置と、胴部に接続されて、貯湯タンクの内部に水を供給する給水接続配管と、を備え、加熱装置は、仮想中心線と平行に一対の電気ヒータを並べた並列ヒータ部を有し、給水接続配管の給水口には、給水接続配管から貯湯タンクの内部に供給する水を拡散させる拡散部を設け、拡散部を、並列ヒータ部より低い位置に配置したものである。本実施の形態によれば、拡散部によって給水接続配管から貯湯タンクの内部に供給する水を拡散させることで、貯湯タンクの上部にある高温の湯との混合を防ぎ、給水によって出湯温度が低下することを防止することができる。また、給水時に加熱装置での加熱が行われている場合には、並列ヒータ部より低い位置に拡散部を配置しているため、給水を効果的に加熱することができる。
【００１０】
本発明の第２の実施の形態は、第１の実施の形態による電気湯沸かし器において、拡散部から吐出される水の方向を、仮想中心線の方向としたものである。本実施の形態によれば、仮想中心線の方向に水を吐出することで、円筒面に沿って貯湯タンクの上方への水の流れを防止でき、貯湯タンクの上部にある高温の湯との混合を防ぐことができる。
【００１１】
本発明の第３の実施の形態は、第１又は第２の実施の形態による電気湯沸かし器において、拡散部を、仮想中心線の鉛直下に配置し、並列ヒータ部を、仮想中心線の鉛直下からずらして配置したものである。本実施の形態によれば、仮想中心線の鉛直下が貯湯タンクの最下部となるため、この貯湯タンクの最下部に拡散部を配置することができ、拡散部を貯湯タンクの最下部に配置することで並列ヒータ部を低い位置に配置できる。また、並列ヒータ部を、仮想中心線の鉛直下からずらして配置することで、並列ヒータ部で加熱された湯は、貯湯タンクの円筒面に沿って上昇することで、貯湯タンクの内部では、円筒面に沿った一つの循環流れが生じるため、貯湯タンクの内部の湯温を早期に均一に高めることができる。
【００１２】
本発明の第４の実施の形態は、第１から第３のいずれかの実施の形態による電気湯沸かし器において、並列ヒータ部が、第１並列ヒータ部、第１並列ヒータ部の鉛直上に配置する第２並列ヒータ部、第１並列ヒータ部と第２並列ヒータ部と接続する並列ヒータ接続部からなり、拡散部を、第１並列ヒータ部より低い位置に配置したものである。本実施の形態によれば、給水時に加熱装置での加熱が行われている場合には、拡散部よりも高い位置に、第１並列ヒータ部と第２並列ヒータ部とが配置されているため、給水を効果的に加熱することができる。
【００１３】
本発明の第５の実施の形態は、第１から第４のいずれかの実施の形態による電気湯沸かし器において、貯湯タンクから湯を取り出す出湯接続配管を備え、出湯接続配管の出湯口を、仮想中心線よりも高い位置に配置したものである。本実施の形態によれば、貯湯タンクの上部にある高温の湯を取り出すことができ、高温の湯を有効に利用できる。
【００１４】
本発明の第６の実施の形態は、第５の実施の形態による電気湯沸かし器において、出湯口を、仮想中心線の鉛直上に配置したものである。本実施の形態によれば、仮想中心線の鉛直上が貯湯タンクの最上部となるため、この貯湯タンクの高い位置に出湯口を配置することができ、出湯口を貯湯タンクの高い位置に配置することで、貯湯タンクの上部にある高温の湯を取り出すことができる。
【実施例】
【００１５】
以下、本発明の一実施例について図面を参照しながら説明する。
図１は本実施例による電気湯沸かし器の構成図である。
本実施例による電気湯沸かし器は、円筒状の胴部１１の仮想中心線Ｘを水平方向にして設置される貯湯タンク１０と、貯湯タンク１０の内部に設けて水を加熱する加熱装置２０と、貯湯タンク１０を外方から覆う断熱材３０と、胴部１１に接続される水接続配管４０、５０とを備えている。
水接続配管４０は、給水管６１に接続され、貯湯タンク１０の内部に水を供給する給水接続配管である。水接続配管５０は、出湯管６２に接続され、貯湯タンク１０から湯を取り出す出湯接続配管である。
【００１６】
図２は本実施例による電気湯沸かし器の主要構成の分解斜視図である。
貯湯タンク１０は、両端を閉塞した円筒状の胴部１１で構成される。
胴部１１の一端にはフランジ部１２を有している。フランジ部１２には、加熱装置２０に電力を供給する電力配線（図示省略）が接続される。
胴部１１の下部には、給水接続配管４０と出湯接続配管５０とが接続されている。
【００１７】
断熱材３０には、発泡樹脂が適しており、発泡ポリスチレン、発泡ポリエチレン、発泡ポリフェニレンエーテル、発泡ポリプロピレン、発泡ポリエチレンテレフタレート、発泡α−メチルスチレン、発泡パラメチルスチレン、又は発泡架橋ポリエチレンを用いることができる。
断熱材３０は、上断熱材３０Ｕと下断熱材３０Ｄとで構成される。上断熱材３０Ｕは貯湯タンク１０のタンク外面上部を覆い、下断熱材３０Ｄは貯湯タンク１０のタンク外面下部を覆う。上断熱材３０Ｕと下断熱材３０Ｄとを組み合わせた状態で、断熱材３０の断熱材内面３１は、円筒状に形成されている。
断熱材３０は、貯湯タンク１０を覆った状態で、左カバー１Ｌ、右カバー１Ｒ、フロントカバー１Ｆ、バックカバー１Ｂによって覆われる。
【００１８】
図３は本実施例による電気湯沸かし器の断熱材を示す図である。図３（ａ）は上断熱材の斜視図、図３（ｂ）は下断熱材の斜視図、図３（ｃ）は下断熱材の上面図である。
図３（ａ）に示すように、上断熱材３０Ｕの断熱材内面３１には、複数の周方向突部３２Ｕを胴部１１の周方向に形成している。
周方向突部３２Ｕは、貯湯タンク１０を覆った状態では、仮想中心線Ｘより上方に形成されることになり、貯湯タンク１０の上部に位置するタンク外面と上断熱材３０Ｕの断熱材内面３１との間に空間部３３Ｕが形成される。空間部３３Ｕは、周方向突部３２Ｕがタンク外面に当接することで、主に周方向突部３２Ｕと周方向突部３２Ｕとの間に形成される。
貯湯タンク１０のタンク外面と上断熱材３０Ｕの断熱材内面３１との間に形成される空間部３３Ｕによって、断熱材３０の厚みを厚くすることなく、また貯湯タンク１０の容積を小さくすることなく、断熱性能を高めることができる。
また、空間部３３Ｕを少なくとも貯湯タンク１０の上部に形成することで、高温の湯の放熱を防ぐため、断熱性能を高めることができる。
【００１９】
図３（ｂ）（ｃ）に示すように、下断熱材３０Ｄの断熱材内面３１には、複数の周方向突部３２Ｄを胴部１１の周方向に形成している。
周方向突部３２Ｄは、貯湯タンク１０を覆った状態では、貯湯タンク１０の下部に位置するタンク外面と下断熱材３０Ｄの断熱材内面３１との間に空間部３３Ｄが形成される。空間部３３Ｄは、周方向突部３２Ｄがタンク外面に当接することで、主に周方向突部３２Ｄと周方向突部３２Ｄとの間に形成される。
貯湯タンク１０のタンク外面と下断熱材３０Ｄの断熱材内面３１との間に形成される空間部３３Ｄによって、断熱材３０の厚みを厚くすることなく、また貯湯タンク１０の容積を小さくすることなく、断熱性能を高めることができる。
また、空間部３３Ｄを貯湯タンク１０の下部にも形成することで、給水接続配管４０での吸熱や出湯接続配管５０からの放熱を防ぎ、断熱性能を高めることができる。
【００２０】
図３（ｃ）に示すように、給水接続配管（水接続配管）４０のタンク接続部４１（図４（ｂ）参照）は、一対の周方向突部３２ＤＡによって挟まれている。また、出湯接続配管（水接続配管）５０のタンク接続部５１（図４（ｂ）参照）は、一対の周方向突部３２ＤＢによって挟まれている。
一対の周方向突部３２ＤＡによって給水接続配管４０のタンク接続部４１を挟むことで、給水接続配管４０での吸熱を防ぎ、一対の周方向突部３２ＤＢによって出湯接続配管５０のタンク接続部５１を挟むことで、出湯接続配管５０からの放熱を防ぐことができる。このように、一対の周方向突部３２Ｄでタンク接続部４１、５１を挟むことで、温度差の大きなタンク接続部４１、５１での断熱を行える。
【００２１】
また、図３（ｃ）に示すように、断熱材内面３１には、複数の水平方向突部３３を胴部１１の仮想中心線Ｘの方向に形成している。そして、給水接続配管（水接続配管）４０のタンク接続部４１（図４（ｂ）参照）は、一対の水平方向突部３３Ａによって挟まれている。また、出湯接続配管（水接続配管）５０のタンク接続部５１（図４（ｂ）参照）は、一対の水平方向突部３３Ｂによって挟まれている。
一対の水平方向突部３３Ａによって給水接続配管４０のタンク接続部４１を挟むことで、給水接続配管４０での吸熱を防ぎ、一対の水平方向突部３３Ｂによって出湯接続配管５０のタンク接続部５１を挟むことで、出湯接続配管５０からの放熱を防ぐことができる。このように、一対の水平方向突部３３でタンク接続部４１、５１を挟むことで、温度差の大きなタンク接続部４１、５１での断熱を行える。
【００２２】
また、図３に示すように、上断熱材３０Ｕに形成した周方向突部３２Ｕ、及び下断熱材３０Ｄに形成した周方向突部３２Ｄによって、周方向突部３２Ｕ、３２Ｄを、断熱材内面３１の全周に形成することで、タンク外面の全周に空間部３３Ｕ、３３Ｄを形成でき、断熱性能を高めることができる。
【００２３】
図４は本実施例による電気湯沸かし器の貯湯タンクと加熱装置を示す構成図である。図４（ａ）は上面図、図４（ｂ）は側面図である。
給水接続配管４０は、タンク接続部４１によって胴部１１の下部に接続されている。出湯接続配管５０は、タンク接続部５１によって胴部１１の下部に接続されている。
給水接続配管４０の給水口４２には拡散部７０を設けている。拡散部７０は、給水接続配管４０から貯湯タンク１０の内部に供給する水を拡散させる。
拡散部７０によって給水接続配管４０から貯湯タンク１０の内部に供給する水を拡散させることで、貯湯タンク１０の上部にある高温の湯との混合を防ぎ、給水によって出湯温度が低下することを防止することができる。
拡散部７０は、仮想中心線Ｘの鉛直下に配置している。なお、タンク接続部４１、５１についても、仮想中心線Ｘの鉛直下に配置している。
仮想中心線Ｘの鉛直下が貯湯タンク１０の最下部となるため、この貯湯タンク１０の最下部に、タンク接続部４１、５１、及び拡散部７０を配置することができる。
【００２４】
出湯接続配管５０は、貯湯タンク１０から湯を取り出す。出湯接続配管５０の出湯口５２は、仮想中心線Ｘよりも高い位置に配置している。出湯口５２を仮想中心線Ｘよりも高い位置に配置することで、貯湯タンク１０の上部にある高温の湯を取り出すことができ、高温の湯を有効に利用できる。
出湯口５２は、仮想中心線Ｘの鉛直上に配置している。仮想中心線Ｘの鉛直上が貯湯タンク１０の最上部となるため、出湯口５２を仮想中心線Ｘの鉛直上に配置することで、貯湯タンク１０の高い位置に出湯口５２を配置でき、出湯口５２を貯湯タンク１０の高い位置に配置することで貯湯タンク１０の上部にある高温の湯を取り出すことができる。
【００２５】
加熱装置２０は、フランジ部１２に一端を接続したヒータ導入部２１と、ヒータ導入部２１の他端から連続して配置される傾斜ヒータ部２２と、傾斜ヒータ部２２から連続して配置される接続ヒータ部２３と、接続ヒータ部２３から連続して配置される並列ヒータ部２４とで構成されている。
傾斜ヒータ部２２は、鉛直面において仮想中心線Ｘと所定の角度で配置することで、接続ヒータ部２３及び並列ヒータ部２４を貯湯タンク１０の下方に配置している。
接続ヒータ部２３は、水平面において仮想中心線Ｘと所定の角度で配置することで、並列ヒータ部２４を仮想中心線Ｘの鉛直下からずらして配置している。
並列ヒータ部２４は、仮想中心線Ｘと平行に配置している。
拡散部７０を貯湯タンク１０の最下部に配置することで、並列ヒータ部２４を低い位置に配置することができる。
並列ヒータ部２４は、第１並列ヒータ部２４ａ、第１並列ヒータ部２４ａの鉛直上に配置する第２並列ヒータ部２４ｂ、第１並列ヒータ部２４ａと第２並列ヒータ部２４ｂと接続する並列ヒータ接続部２４ｃから構成している。
ヒータ導入部２１、傾斜ヒータ部２２、接続ヒータ部２３、及び並列ヒータ部２４は、一対の電気ヒータを並べて構成される。
【００２６】
なお、フランジ部１２の貯湯タンク１０の内部側には、貯湯タンク１０の内部の水温を検出する温度センサ１３を配置している。温度センサ１３によって所定温度以下が検出されると、加熱装置２０は加熱を行い、所定温度より高い温度を検出することで加熱装置２０の加熱を停止する。
従って、例えばシャワー使用時のように連続して出湯する場合には、給水接続配管４０から水が供給されながら加熱装置２０が加熱を行うが、連続した出湯でない通常使用状態では、出湯及び給水停止時に加熱装置２０による加熱が行われる。
通常使用状態では、並列ヒータ部２４は、仮想中心線Ｘの鉛直下からずらして配置しているため、並列ヒータ部２４で加熱された湯は、貯湯タンク１０の円筒面に沿って上昇することで、貯湯タンク１０の内部では、円筒面に沿った一つの循環流れが生じることで、貯湯タンク１０の内部の湯温を早期に均一に高めることができる。
【００２７】
図５はシャワー使用時のように連続して出湯する場合の説明図である。
拡散部７０は、並列ヒータ部２４より低い位置に配置している。このように、並列ヒータ部２４より低い位置に拡散部７０を配置することで、給水時に加熱装置２０での加熱が行われている場合には、給水を効果的に加熱することができる。
拡散部７０は、第１並列ヒータ部２４ａより低い位置に配置している。給水時に加熱装置２０での加熱が行われている場合には、拡散部７０よりも高い位置に、第１並列ヒータ部２４ａと第２並列ヒータ部２４ｂとが配置されているため、給水を効果的に加熱することができる。
【００２８】
図６は本実施例による電気湯沸かし器の拡散部を示す図である。図６（ａ）は拡散部の上面図、図６（ｂ）は図６（ａ）のＡ−Ａからの側面図、図６（ｃ）は図６（ａ）のＢ−Ｂからの側面図である。
図中の矢印は、水の方向を示している。
拡散部７０は、給水接続配管４０の給水口４２に取り付ける接続部７１と、接続部７１の上方に位置する拡散部本体７２とからなる。
拡散部本体７２は、対向する一対の側壁７２ａと、対向する一対の吐出口形成壁７２ｂと、上面を覆う天面７２ｃとからなる。
一対の側壁７２ａと天面７２ｃとは閉塞されている。
一対の吐出口形成壁７２ｂには、幅方向が高さ方向より長い吐出口７３が上下方向に複数形成されている。
吐出口７３は仮想中心線Ｘの方向に形成されている。従って、拡散部７０から吐出される水の方向は、仮想中心線Ｘの方向となり、仮想中心線Ｘの方向に水を吐出することで、円筒面に沿って貯湯タンク１０の上方への水の流れを防止でき、貯湯タンク１０の上部にある高温の湯との混合を防ぐことができる。
また、幅方向が高さ方向より長い吐出口７３を上下方向に複数形成することで、吐出される水を整流するとともに流速を弱めることができる。
【００２９】
図７は拡散部の他の実施例を示す図である。図７（ａ）は拡散部の上面図、図７（ｂ）は図７（ａ）のＡ−Ａからの側面図、図７（ｃ）は図７（ａ）のＢ−Ｂからの側面図である。
図中の矢印は、水の方向を示している。
拡散部７０は、給水接続配管４０の給水口４２に取り付ける接続部７１と、接続部７１の上方に位置する拡散部本体７２とからなる。
拡散部本体７２は、円筒壁７４ａと、円筒壁７４ａの上面を覆う天面７４ｂとからなり、円筒壁７４ａの上部に一対の吐出口７５を形成している。
一対の吐出口７５以外は閉塞されている。一対の吐出口７５は、幅方向が高さ方向より長く形成されている。
吐出口７５は仮想中心線Ｘの方向に形成されている。従って、拡散部７０から吐出される水の方向は、仮想中心線Ｘの方向となり、仮想中心線Ｘの方向に水を吐出することで、円筒面に沿って貯湯タンク１０の上方への水の流れを防止でき、貯湯タンク１０の上部にある高温の湯との混合を防ぐことができる。
【産業上の利用可能性】
【００３０】
本発明は、流し台や洗面台、これらの近傍の壁面に設置して利用される。
【符号の説明】
【００３１】
１Ｂ  バックカバー
１Ｆ  フロントカバー
１Ｌ  左カバー
１Ｒ  右カバー
１０  貯湯タンク
１１  胴部
１２  フランジ部
１３  温度センサ
２０  加熱装置
２１  ヒータ導入部
２２  傾斜ヒータ部
２３  接続ヒータ部
２４  並列ヒータ部
２４ａ  第１並列ヒータ部
２４ｂ  第２並列ヒータ部
２４ｃ  並列ヒータ接続部
３０  断熱材
３０Ｄ  下断熱材
３０Ｕ  上断熱材
３１  断熱材内面
３２Ｄ  周方向突部
３２ＤＡ  周方向突部
３２ＤＢ  周方向突部
３２Ｕ  周方向突部
３３  水平方向突部
３３Ａ  水平方向突部
３３Ｂ  水平方向突部
３３Ｄ  空間部
３３Ｕ  空間部
４０  給水接続配管
４１  タンク接続部
４２  給水口
５０  出湯接続配管
５１  タンク接続部
５２  出湯口
６１  給水管
６２  出湯管
７０  拡散部
７１  接続部
７２  拡散部本体
７２ａ  側壁
７２ｂ  吐出口形成壁
７２ｃ  天面
７３  吐出口
７４ａ  円筒壁
７４ｂ  天面
７５  吐出口
Ｘ  仮想中心線
【図１】
2020118409.tif 000003
【図２】
2020118409.tif 000004
【図３】
2020118409.tif 000005
【図４】
2020118409.tif 000006
【図５】
2020118409.tif 000007
【図６】
2020118409.tif 000008
【図７】
2020118409.tif 000009